(57)【要約】【課題】  天井へ器具本体を埋め込み設置する作業性を向上できる照明器具を提供する。【解決手段】  天井裏の吊りボルトＣに固定される埋込み型の照明器具1であって、反射天板部32を備えた反射体31と、この反射体31が固定される器具本体2と、器具本体2に取付けられた端子台19と、反射体31の内側に配置される蛍光ランプ（光源）41を具備する。器具本体2は、反射天板部32より狭幅で反射天板部32が下方から固定される本体天板部3を備える。本体天板部3は反射天板部32の幅方向中央部位に対向する天板側縁7を有し、この天板側縁7に寄せてボルト通孔12を本体天板部3に設ける。器具設置孔Ｂの一端側に寄せて配設された器具本体2の本体天板部3で反射天板部32の一端側部位を上方から覆い、天板側縁7と器具設置孔Ｂの他端との間に設置作業者の手を天井裏に入れることを可能とする作業用開口を形成したことを特徴としている。【選択図】図３
2011048954.tif 000002
【特許請求の範囲】
【請求項１】
天井の器具設置孔に埋め込まれて天井裏の吊りボルトに固定される照明器具において、
四角い反射天板部、及びこの反射天板部に連続した第１〜第４の反射側板部を備え、前記第１〜第４の反射側板部が有した第１〜第４のカバー縁部が四角枠状に連続して前記器具設置孔の縁を下方から覆って設けられる反射体と；
前記反射天板部の幅方向中央部位に対向する天板側縁を有して前記反射天板部より狭幅に形成されていて、前記器具設置孔の一端側に寄って前記反射天板部の一端側部位を上方から覆うとともに前記天板側縁と前記器具設置孔の他端との間に設置作業者の手を天井裏に入れることを可能とする作業用開口を形成して配設され、前記反射天板部が下方から固定される本体天板部、及び前記器具設置孔の縁に下方から引っ掛かって前記カバー縁部で覆われる本体縁部を有して前記本体天板部に連続された第１〜第３の本体側板部を備え、かつ、前記天板側縁に寄せてボルト通し部が設けられている器具本体と；
この器具本体に取付けられた端子台と； 
前記反射体の内側に配置される光源と；
を具備することを特徴とする照明器具。
【請求項２】
前記器具本体が固定される前の状態でこの器具本体が前記天板側縁と直交する方向に沿って移動可能となるように、前記天板側縁が延びる方向に位置された前記第１、第２の本体縁部が、これらを覆う前記第１、第２のカバー縁部より短く形成されているとともに、前記ボルト通し部が、円形孔部と、この孔部の径より狭い幅で前記円形孔部から前記天板側縁と直交する方向に沿って前記天板側縁に向けて突出された狭幅孔部を有して略ダルマ孔形状をなしていることを特徴とする請求項１に記載の照明器具。
【請求項３】
前記天板側縁が前記反射天板部に向けて折れ曲がった曲げ片で形成されていることを特徴とする請求項１又は２に記載の照明器具。
【請求項４】
前記光源が蛍光ランプであって複数設けられているとともに、前記本体天板部の下面に互いに接近して固定されて前記蛍光ランプを点灯させる放電灯安定器を二個備え、これら放電灯安定器が、それらの入力側端部同士を同じ側に位置させるように前記天板側縁と平行に配設され、かつ、前記二個の放電灯安定器同士がそれらの長手方向にずらされて前記入力側端部周りにスペースを形成しており、このスペースに臨んで前記端子台が配設されていることを特徴とする請求項１から３の内のいずれか一項に記載の照明器具。
【請求項５】
前記蛍光ランプを支持する複数のランプソケットを備え、これらのソケットが、前記本体天板部との間に配線スペースを形成して、前記放電灯安定器の下方で、かつ、前記本体側板部の内で前記天板側縁と平行に位置された前記第３の本体側板部の内面に固定されていることを特徴とする請求項４に記載の照明器具。
【請求項６】
前記反射側板部の内で前記天板側縁が延びる方向に位置された前記第１、第２の反射側板部が斜めに設けられているとともに、これらに対向する前記第１、第２の本体側板部が垂直に設けられていて、前記斜めの反射側板部と前記垂直な本体側板部との間に上広がりに形成された断面三角形状のスペースに、上方から臨んで前記端子台が配設されているとともに、この端子台に対して前記器具本体内に引き込まれた電源線が上向きに差込み接続されることを特徴とする請求項１から５の内のいずれか一項に記載の照明器具。
【発明の詳細な説明】
【技術分野】
【０００１】
本発明は、建物の天井に埋め込んで設置される照明器具に関する。
【背景技術】
【０００２】
照明器具本体と、反射器と、ルーバを備え、照明器具本体を建築物の天井裏の構築材に固定し、固定した照明器具本体に反射器を固定し、更に反射器内にルーバを固定することによって、照明器具本体及び反射器を天井に埋め込んで設置される照明器具が、従来技術として知られている。
【０００３】
この設置状態で反射器の光を照射する開口平面は建築物の天井面と略面一に配置されるようになっている。又、照明器具本体の下面には、電源端子台、放電灯を保持するソケット、及び放電灯を点灯するための点灯回路等が取付けられている。照明器具本体は、反射器の平面視略正方形をなした底面板と略同形状で同じ大きさであり、かつ概略トレー状をなしていて、その底面板は照明器具本体の大部分の大きさを占めている。
【先行技術文献】
【特許文献】
【０００４】
【特許文献１】特開2001−110226号公報（段落0002-0007、図４）
【発明の概要】
【発明が解決しようとする課題】
【０００５】
天井埋め込み型照明器具の反射器は天井に形成された器具設置孔を天井の下側から覆う大きさであるので、既述のように反射器の大部分を占める大きさの底面板と略同じ大きさの照明器具本体の大きさは、器具設置孔と略同じ大きさである。又、天井埋め込み型照明器具の照明器具本体が固定される天井裏の構築物としては、天井裏に配設された吊りボルトが一般的である。このボルトを用いての照明器具本体の固定は、吊りボルトの下端部を照明器具本体のボルト通孔に通した後に、吊りボルトの下端部に照明器具本体の下側からナットを螺合して、このナットを上向きに移動するように締め付けることで行われている。
【０００６】
こうした埋め込み設置作業において、従来技術のように照明器具本体の大きさが天井の器具設置孔と略同じ大きさである構成では、天井裏に作業者が手を差し入れることはできない。しかも、天井裏の吊りボルトの下端部の位置精度はばらつきが大きいことが知られている。そのため、天井裏の吊りボルトの下端部を照明器具本体のボルト通孔に位置合わせして通す作業は、かなりの手間が掛かる。したがって、従来技術では照明器具本体を天井に埋め込み設置する作業性が良くない。
【０００７】
更に、照明器具本体に装着された電源端子台には天井裏から引込んだ電源線が接続される。この場合、既述のように天井裏に作業者が手を差し入れることができないので、電源線を照明器具本体の下側に引き込むことは困難である。そのため、照明器具本体が吊りボルトに固定される前に電源線を予め照明器具本体に通して置かなければならない。しかも、こうした状態で既述のように吊りボルトとボルト通孔との位置合わせをすることは、その際に電源線が照明器具本体の位置合わせ操作を妨げることがあるので、吊りボルトに照明器具本体を固定する作業により手間が掛かり易くなることがある。
【０００８】
以上のように特許文献１に記載の従来技術は、照明器具本体を天井に埋め込み設置する際の作業性が良くない、という課題がある。
【課題を解決するための手段】
【０００９】
前記課題を解決するために、請求項１の発明は、天井の器具設置孔に埋め込まれて天井裏の吊りボルトに固定される照明器具において、四角い反射天板部、及びこの反射天板部に連続した第１〜第４の反射側板部を備え、前記第１〜第４の反射側板部が有した第１〜第４のカバー縁部が四角枠状に連続して前記器具設置孔の縁を下方から覆って設けられる反射体と；前記反射天板部の幅方向中央部位に対向する天板側縁を有して前記反射天板部より狭幅に形成されていて、前記器具設置孔の一端側に寄って前記反射天板部の一端側部位を上方から覆うとともに前記天板側縁と前記器具設置孔の他端との間に設置作業者の手を天井裏に入れることを可能とする作業用開口を形成して配設され、前記反射天板部が下方から固定される本体天板部、及び前記器具設置孔の縁に下方から引っ掛かって前記カバー縁部で覆われる本体縁部を有して前記本体天板部に連続された第１〜第３の本体側板部を備え、かつ、前記天板側縁に寄せてボルト通し部が設けられている器具本体と；この器具本体に取付けられた端子台と；前記反射体の内側に配置される光源と；を具備することを特徴としている。
【００１０】
この発明で、反射天板部の幅方向とは、互いに平行な第１、第２のカバー縁部、又は第３、第４のカバー縁部に直交する方向を指している。これとともに、この発明で、天板側縁が対向する反射天板部の幅方向中央部位とは、前記第１、第２のカバー縁部間又は第３、第４のカバー縁部間の幅寸法を三等分した場合に、両方のカバー縁部から１/３幅の端部領域以外の中央領域位を指している。そして、器具本体の幅を反射体の略半分の幅に相当する大きさとして、器具本体の天板側縁を反射体の幅方向略半分の位置に対向させることは、反射体の幅方向略半分の位置でこの反射体をバランスよく器具本体に固定できるとともに、この条件を維持しつつ作業用開口を最も大きく確保できる点で好ましい。この発明で、作業用開口は、そこに作業者の手を通した上で天井裏での吊りボルトの下端部を掴んでボルト通し部に対する位置合わせ操作を可能にできる大きさであればよい。
【００１１】
更に、この発明で、ボルト通し部は、通孔(ボルト通孔)又は溝（ボルト通し溝）で形成できる。ボルト通し部は、それがボルト通孔からなる場合、実施の形態で説明する態様の他、吊りボルトに螺合するナットは挿通できないが吊りボルトは挿通できる径の孔で形成できる。更に、ボルト通孔は、本体天板部の主部（天板側縁以外の部位）及び天板側縁にわたって設けることが可能である。この態様において作業用開口に臨んで開放された孔端はその下側から天板側縁の一部で閉じていることが、天板側縁にボルト通孔の一部があるにも拘らず、天板側縁による本体天板部の補強作用を極力低下させない点で好ましい。しかも、同態様において、作業用開口に臨んで天板側縁に開放されたボルト通孔の一部は、吊りボルトの下端に支持されたナット又は座金とナットが、作業用開口側から挿入できる大きさに形成することも可能である。又、ボルト通し部がボルト通し溝からなる場合、この溝の開放端は、天板側縁を分断して作業用開口に臨んで天板側縁に開放させればよく、こうしたボルト通し溝でボルト通し部を形成した場合、この通し部に作業用開口側から吊りボルトの下端部を挿入できる利点がある。
【００１２】
又、この発明で、光源には、両口金型の蛍光ランプ又は片口金型の蛍光ランプを使用できる他、ＬＥＤ等の半導体発光素子を複数備えて形成される光源を用いることも可能である。
【００１３】
請求項１の発明の照明器具を天井に埋め込み設置する場合、まず、器具設置孔に挿入された器具本体の天板側縁と器具設置孔との間に形成される作業用開口を通して、設置作業者の手を天井裏に差し込んで天井裏の吊りボルトの下端部を掴み、この吊りボルトを動かして器具本体のボルト通し部に位置合わせして、このボルト通し部に吊りボルトの下端部を通した上で、吊りボルトに螺合されるナットを締め付けて、吊りボルトに器具本体を固定できる。この挿通作業は、天板側縁にボルト通孔が寄っているので、より容易に行うことができる。次に、同様に作業用開口に通された手で天井裏に配線されている電源線を掴んで器具本体内に引込んでから、この電源線を端子台に接続する。このとき、電源線通孔を天板側縁に寄せて本体天板部に形成しておけば、電源線通孔への電源線の挿通作業を容易に行うことができる。最後に、反射体を器具設置孔に挿入して器具本体にねじ等を用いて固定した上で、光源を反射体の内側に配設して作業を完了する。
【００１４】
請求項２の発明は、請求項１の発明において前記器具本体が固定される前の状態でこの器具本体が前記天板側縁と直交する方向に沿って移動可能となるように、前記天板側縁が延びる方向に位置された前記第１、第２の本体縁部が、これらを覆う前記第１、第２のカバー縁部より短く形成されているとともに、前記ボルト通し部が、円形孔部と、この孔部の径より狭い幅で前記円形孔部から前記天板側縁と直交する方向に沿って前記天板側縁に向けて突出された狭幅孔部を有して略ダルマ孔形状をなしていることを特徴としている。
【００１５】
この発明では、器具設置孔に器具本体を設置する場合に、この器具本体を器具設置孔に対して作業用開口の幅を増減する方向に移動可能である。このため器具本体の移動により、ボルト通し部の円形孔と吊りボルトの下端部との位置合わせの自由度を更に確保できる。しかも、ナットが螺合された吊りボルトの下端部をボルト通し部の円形孔部に通した上で、器具本体を元の位置に戻すように移動させることにより、吊りボルトの下端部をボルト通孔の狭幅孔部に通して、ナットにより器具本体を仮保持できる。
【００１６】
請求項３の発明は、請求項１又は２において、前記天板側縁が前記反射天板部に向けて折れ曲がった曲げ片で形成されていることを特徴としている。
【００１７】
この発明では、曲げ片からなる天板側縁の切断面が作業用開口を向くことがないので、作業用開口に通された設置作業者の手が前記切断面に当たって怪我をすることを抑制できる。更に、ボルト通し部に通された吊りボルトに螺合されたナットを締め付けることに伴う本体天板部の上向きの変形を、曲げ片からなる天板側縁の補強作用により抑制できる。
【００１８】
請求項４の発明は、請求項１から３の内のいずれか一項に記載の発明において、前記光源が蛍光ランプであって複数設けられているとともに、前記本体天板部の下面に互いに接近して固定されて前記蛍光ランプを点灯させる放電灯安定器を二個備え、これら放電灯安定器が、それらの入力側端部同士を同じ側に位置させるように前記天板側縁と平行に配設され、かつ、前記二個の放電灯安定器同士がそれらの長手方向にずらされて前記入力側端部周りにスペースを形成しており、このスペースに臨んで前記端子台が配設されていることを特徴としている。
【００１９】
この発明では、二個の放電灯安定器により本体天板部が補強されるので、吊りボルトに螺合されたナットを締め付けることに伴う本体天板部の上向きの変形を抑制できる。更に、この発明では、二個の放電灯安定器の入力側端部周りに端子台が臨むスペースが形成されているので、この端子台と放電灯安定器の入力側端部との結線を行い易い。
【００２０】
請求項５の発明は、請求項４の発明において、前記蛍光ランプを支持する複数のランプソケットを備え、これらのソケットが、前記本体天板部との間に配線スペースを形成して、前記放電灯安定器の下方で、かつ、前記本体側板部の内で前記天板側縁と平行に位置された前記第３の本体側板部の内面に固定されていることを特徴としている。
【００２１】
この発明では、放電灯安定器と複数のランプソケットとを結線する電線を、ランプソケットと本体天板部との間に形成された配線スペースに通すので、前記電線の配線処理を容易にできる。
【００２２】
請求項６の発明は、請求項１から５の内のいずれか一項の発明において、前記反射側板部の内で前記天板側縁が延びる方向に位置された前記第１、第２の反射側板部が斜めに設けられているとともに、これらに対向する前記第１、第２の本体側板部が垂直に設けられていて、前記斜めの反射側板部と前記垂直な本体側板部との間に上広がりに形成された断面三角形状のスペースに、上方から臨んで前記端子台が配設されているとともに、この端子台に対して前記器具本体内に引き込まれた電源線が上向きに差し込み接続されることを特徴としている。
【００２３】
この発明では、器具本体内に引込まれて端子台に上向きに差し込み接続された電源線を配線スペースに配線できる。そのため、器具本体とこれに対して下側から固定される反射体の反射天板部との間に電源線が挟まれることを原因として、反射天板部に変形を来たすことが抑制されるとともに、反射体の取付け不良を来たすことも抑制できる。
【発明の効果】
【００２４】
請求項１の発明によれば、天井裏に手を差し込んで、吊りボルトの下端部をボルト通し部に位置合わせして通すことができるので、器具本体を天井に埋め込み設置する際の作業性を向上できる、という効果がある。
【００２５】
請求項２の発明によれば、吊りボルトの下端部をボルト通し部に位置合わせする自由度が更に高められるとともに、器具本体を仮保持した上で吊りボルトに固定できるに伴い、器具本体を天井に埋め込み設置する際の作業性を更に向上できる、という効果がある。
【００２６】
請求項３の発明によれば、曲げ部からなる天板側縁により、器具本体を天井に埋め込み設置する作業の安全性を確保できるとともに、器具本体の固定に伴う本体天板部の変形を抑制できる、という効果がある。
【００２７】
請求項４の発明によれば、器具本体の固定に伴う本体天板部の変形を二個の放電灯安定器により更に抑制できるとともに、これら放電灯安定器の入力側端部と端子台とを、これらの入力側端部と端子台と間のスペースにより容易に結線できる、という効果がある。
【００２８】
請求項５の発明によれば、ランプソケットと本体天板部との間に形成された配線スペースを利用して、放電灯安定器と複数のランプソケットとを結線する電線の配線処理を容易にできる、という効果がある。
【００２９】
請求項６の発明によれば、器具本体と反射体の反射天板部との間に電源線が挟まれないようにできるので、反射天板部に変形をすること、及び反射体の取付け不良を抑制できる、という効果がある。
【図面の簡単な説明】
【００３０】
【図１】本発明の一実施の形態に係る照明器具を上側から見て示す斜視図である。
【図２】図１の照明器具を下側から見て示す斜視図である。
【図３】図１中Ｆ３−Ｆ３線に沿う断面図である。
【図４】図３の断面を分解して示す図である。
【図５】図３中Ｆ５−Ｆ５線に沿う断面図である。
【図６】図３中Ｆ５−Ｆ５線の断面を含んだ照明器具補に一部を示す斜視図である。
【図７】図１の照明器具を下側から見て分解して示す斜視図である。
【図８】図１の照明器具の器具本体及びこれに取付けられた部品を下側から見て示す斜視図である。
【発明を実施するための形態】
【００３１】
以下、図１〜図８を参照して本発明の一実施の形態について、詳細に説明する。なお、図３〜図６については、それらの図に含まれる断面部分の厚みが極めて薄いので、図の理解を容易にする都合上断面を表すハッチングを省略して描いてある。
【００３２】
図中符号１は照明器具を示している。この照明器具１は、埋め込み型であって、図３等に示すように建物の天井Ａに開口された器具設置孔Ｂに埋め込まれて、天井裏に配設された吊りボルトＣとこれに螺合されたナットＤの締め付けにより、天井Ａに埋め込み設置される。器具設置孔Ｂは四角い孔である。
【００３３】
照明器具１は、器具本体２と、複数の連結金具１４と、二個の放電灯安定器１６，１７と、端子台１９と、複数のランプソケット２１と、反射体３１と、光源例えば片口金型の複数の蛍光ランプ４１、制光体例えばバッフル４５とを具備している。
【００３４】
器具本体２は、板金製で、本体天板部３と、第１の本体側板部４〜第３の本体側板部６とを備えている。
【００３５】
本体天板部３は平面視四角形状である。図４及び図７に示すように本体天板部３の幅Ｗ１は、器具設置孔Ｂの幅Ｗ２及び後述する反射天板部３２の幅Ｗ３より狭く、具体的には幅Ｗ２又は幅  Ｗ３の略半分に相当する大きさに形成されている。この本体天板部３の幅方向一側縁は天板側縁７であり、この天板側縁７は下方に折り曲げられた曲げ片からなる。天板側縁７の高さは第１の本体側板部４〜第３の本体側板部６の高さよりはるかに短い。
【００３６】
第１の本体側板部４〜第３の本体側板部６は、天板側縁７を除いた本体天板部３の側縁に連続して設けられている。天板側縁７が延びる方向(天板側縁７の長手方向)に位置された第１の本体側板部４と第２の本体側板部５は、互いに平行でかつ垂直に設けられていて、本体天板部３から一体に下方に折れ曲がっている。第３の本体側板部６も垂直である。この第３の本体側板部６は、本体天板部３とは別体に形成されていて、天板側縁７と平行な本体天板部３の側縁及び第１の本体側板部４と第２の本体側板部５に夫々固定して設けられている。
【００３７】
第１の本体側板部４〜第３の本体側板部６は、その下端から水平に張り出した上で上向きに折り曲げられた第１の本体縁部４ａ〜第３の本体縁部６ａを有している。これら第１の本体縁部４ａ〜第３の本体縁部６ａは器具設置孔Ｂの縁を下方から覆うようになっている。器具本体２の幅Ｗ１が器具設置孔Ｂの幅Ｗ２より短いので、互いに平行な第１の本体側板部４と第２の本体側板部５の長さも、後述する第１のカバー縁部及び第２のカバー縁部より短い。そのため、器具本体２が吊りボルトＣに固定される前の状態において、この器具本体２は、第１の本体縁部４ａと第２の本体縁部５ａを器具設置孔Ｂの互いに平行な縁に接した状態で、これらの縁が延びる方向に沿って器具設置孔Ｂに対して移動可能である。なお、図中符号８は器具本体２にリベット止めされた補強金具を示している。
【００３８】
器具本体２の本体天板部３には、その幅方向中央部よりも天板側縁７に寄せて電源線通孔１１と複数のボルト通し部例えば３個のボルト通孔１２が設けられている。電源線通孔１１は天板側縁７の長手方向の一端側に対応して例えば第１の本体側板部４に寄せて開口されている。
【００３９】
３個のボルト通孔１２は天板側縁７の長手方向の中央部に対応してこの長手方向に沿って並べられている。天井Ａへの照明器具１の埋め込み設置において、天井裏の吊りボルトＣが一本の場合真ん中のボルト通孔１２が使用され、天井裏の吊りボルトＣが二本の場合左右のボルト通孔１２が使用される。これらボルト通孔１２は、図１に示すように円形孔部１２ａと、狭幅孔部１２ｂを有して略ダルマ孔形状をなしている。狭幅孔部１２ｂの幅は円形孔部１２ａの径より狭い。この狭幅孔部１２ｂは、円形孔部１２ａから天板側縁７と直交する方向に沿って天板側縁７に向けて突出されている。
【００４０】
図７及び図８に示すように本体天板部３の下面には、天板側縁７の近傍に位置して一対の連結金具１４が突設されている。これら連結金具１４は３個のボルト通孔１２を間において配設されている。連結金具１４は平坦な反射体受面を有し、この受面にねじ受部が設けられている。このねじ受部には取外し可能に連結ねじ例えば化粧ねじ１５（図３及び図４参照）が上向きにねじ込まれるようになっている。
【００４１】
本体天板部３の下面でかつ天板側縁７と平行な第３の本体側板部６に寄った位置に、二個の放電灯安定器１６，１７が、天板側縁７と平行でかつ互いに接近して後述のようにずらして夫々固定されている。放電灯安定器１６，１７は、アルミニウム製の安定器ケース内にインバータ回路等を形成する回路部品等の各種の電気部品が搭載された回路基板を組み込んでなる電子安定器である。
【００４２】
これら放電灯安定器１６，１７は、細長く形成されていて、前記回路基板に搭載された入出力用の端子台（図示しない）は安定器ケースの長手方向両端部に配設されてこのケースの外部に露出されている。放電灯安定器１６，１７の入力用端子台が配置された端部を入力側端部１６ａ，１７ａ（図８参照）と称するとともに、放電灯安定器１６，１７の出力用端子台が配置された端部を出力側端部１６ｂ，１７ｂ（図８参照）と称する。
【００４３】
二個の放電灯安定器１６，１７は、それらの入力側端部同士１６ａ，１７ａを同じ側、具体的には第１の本体側板部４側に寄せて位置させるとともに、出力側端部同士１６ｂ，１７ｂを同じ側、具体的には第２の本体側板部５側に寄せて位置させるように、放電灯安定器１６，１７同士が互いに長手方向にずらされて本体天板部３に固定されている。このように配置された二個の放電灯安定器１６，１７によって、それらの入力側端部１６ａ，１７ａ周りに第１スペースＳ１（図８参照）が形成されているとともに、出力側端部１６ｂ，１７ｂ周りに第２スペースＳ２（図８参照）が形成されている。
【００４４】
本体天板部３の下面には第１スペースＳ１の近傍にこのスペースＳ１に臨んで端子台１９が固定されている。端子台１９は、第１の本体側板部４側に寄っていて、電源線通孔１１と第１スペースＳ１との間に設けられている。これら電源線通孔１１と端子台１９と第１スペースＳ１は、本体天板部３の幅方向に並んでいる。端子台１９はその下面に開口する複数の電線差込孔を有している。端子台１９の電源用の電線差込孔には電源線の先端部が上向きに差込み接続され、端子台１９の負荷用の電線差込孔には負荷用の器具内配線の一端部が上向きに差込み接続されるようになっている。負荷用の器具内配線の他端部が放電灯安定器の入力側端子台又は後述のランプソケット２１に差込み接続されるようになっている。
【００４５】
端子台１９に対する各器具内配線などの接続に際して、この端子台１９と放電灯安定器１６，１７との間の第１スペースＳ１により、端子台１９と放電灯安定器１６，１７の入力側端部１６ａ，１７ａとを接続する作業がし易い。又、第２スペースＳ２があることにより、放電灯安定器１６，１７の出力側端部１６ｂ，１７ｂとランプソケット２１とに渡る配線の引き回しを容易にできる。
【００４６】
複数のランプソケット２１は、放電灯安定器１６，１７よりも低い位置で第３の本体側板部６の内面に固定されている。それらランプソケット２１は、天板側縁７が延びる方向に並べられていて、本体天板部３及び放電灯安定器１７との間に配線スペースＳ３(図３及び図４参照)を形成している。この配線スペースＳ３に、放電灯安定器１６，１７の出力側端部１６ｂ，１７ｂから第２スペースＳ２を通ってランプソケット２１に至る器具内配線、及びランプソケット２１から端子台１９に至る器具内配線が配線されるようになっている。
【００４７】
反射体３１は、金属製であり、四角い反射天板部３２と、第１の反射側板部３３〜第４の反射側板部３６を備えており、第１の反射側板部３３〜第４の反射側板部３６はその下端に第１のカバー縁部３３ａ〜第４のカバー縁部３６ａを有している。第１のカバー縁部３３ａ〜第４のカバー縁部３６ａを除いた反射体３１の大きさは、器具設置孔Ｂよりやや小さく、第１のカバー縁部３３ａ〜第４のカバー縁部３６ａを含めた反射体３１の大きさは、器具設置孔Ｂよりやや大きい。反射体３１の高さ(深さ)は器具本体２の高さ(深さ)より小さい。
【００４８】
図３及び図４に示すように反射天板部３２には制光体支持部３９が設けられている。これとともに反射天板部３２には複数のランプホルダ３７が下方に突出して取付けられている。
【００４９】
第１の反射側板部３３〜第４の反射側板部３６は、反射天板部３２の周部から下方に連続して設けられている。第１の反射側板部３３と第２の反射側板部３４は、反射天板部３２の互いに平行な二辺から一体に斜め折り曲げられている。第３の反射側板部３５と第４の反射側板部３６は、反射天板部３２とは別体に形成されていて、反射天板部３２の互いに平行な他の二辺に反射天板部３２に対して垂直となるように固定されている。各ランプソケット２１の夫々に対応してソケット通孔３８(図２及び図５参照)が、反射天板部３２と第３の反射側板部３５とにわたって開口されている。
【００５０】
第１のカバー縁部３３ａ〜第４のカバー縁部３６ａは、第１の反射側板部３３〜第４の反射側板部３６の下端から水平に張り出した上で上向きに折り曲げられていて、周方向に四角枠状をなして互いに連続している。これら第１のカバー縁部３３ａ〜第４のカバー縁部３６ａで囲まれた反射体開口の真上に反射天板部３２が対向している。
【００５１】
第１のカバー縁部３３ａ〜第４のカバー縁部３６ａを除いた反射体３１の主要部は、器具本体２内にその下側から収められて、前記化粧ねじ１５により本体天板部３に固定されている。この固定状態で、第１のカバー縁部３３ａ〜第４のカバー縁部３６ａは、器具設置孔Ｂの縁を下側から覆っているとともに、第１のカバー縁部３３ａ〜第３のカバー縁部３５ａが、第１の本体縁部４ａ〜第３の本体縁部６ａを覆っている。更に、前記固定状態で各ランプソケット２１は夫々に対応したソケット通孔３８に通されて反射体３１の内側に配設されている。
【００５２】
蛍光ランプ４１は反射体３１の内側で夫々のランプソケット２１に取外し可能に支持されている。これら蛍光ランプ４１は放電灯安定器１６，１７により点灯される。これら蛍光ランプ４１に下方から対向してバッフル４５が反射体３１の内側に配置されている。図５及び図６に示すようにバッフル４５は、断面Ｖ字形状の第１バッフル部材４６と、これに直交する平板状の第２バッフル部材４７とを組み合わせてなり、その第１バッフル部材４６が有して図示しない取付け部を前記制光体支持部３９部に着脱可能に係止することによって器具本体２内に取付けられている。
【００５３】
次に、照明器具１を建物の天井Ａに埋め込み設置する手順を説明する。
【００５４】
まず、天井Ａに器具本体２を埋め込み設置する。この設置は、器具設置孔Ｂに器具本体２を挿入し、この器具本体２のボルト通孔１２に上方から天井裏の吊りボルトＣを挿入した後、器具本体２の下側から吊りボルトＣの下端部にナットＤを螺合し、このナットＤを締め上げることにより実施する。なお、この際、吊りボルトＣの下端部に座金Ｅ（図３参照）を必要に応じて嵌合することが好ましい。
【００５５】
器具本体２の設置について更に詳しく説明する。まず、設置作業者は、天井Ａの器具設置孔Ｂに上側から対向している吊りボルトＣの下端部に、座金Ｅを通すとともに、この座金Ｅの下側に配置されるナットＤを螺合する。
【００５６】
次に、設置作業者は、器具本体２の本体天板部３を上側にして、この器具本体２を器具設置孔Ｂの一端側に寄せて挿入する。これにより、器具本体２の天板側縁７と器具設置孔Ｂの他端との間に作業用開口Ｇ（図４及び図７参照）が形成される。この作業用開口Ｇの大きさは本実施形態では本体天板部３の大きさに略等しい。
【００５７】
この状態を保持しつつ設置作業者は、その手を作業用開口Ｇに通して天井裏の吊りボルトＣの下端部を掴み、この吊りボルトＣを動かして本体天板部３のボルト通孔１２に位置合わせした上で、既述のように座金Ｅ及びナットＤが取付けられた吊りボルトＣの下端部をボルト通孔１２の円形孔部１２ａに通す。このように天井裏に手を差し入れて作業ができるため、吊りボルトＣの下端部をボルト通孔１２に通す作業を容易に実施できる。
【００５８】
しかも、ボルト通孔１２は、本体天板部３の天板側縁７の近傍に設けられている。言い換えれば、作業用開口Ｇの近くに位置されている。そのため、より容易に吊りボルトＣの下端部をボルト通孔１２に通すことができる。
【００５９】
更に、器具本体２は作業用開口Ｇを狭める方向に移動させることができるので、この点でも前記位置合わせ作業を容易に実施できる。なお、この場合の器具本体２の移動は、その第１の本体縁部４ａと第２の本体縁部５ａを器具設置孔Ｂの縁に沿わせて行うことが可能であるので、この手順によれば器具本体２の移動が容易である。
【００６０】
この後、吊りボルトＣの下端部がボルト通孔１２の狭幅孔部１２ｂに通るように調整して、ナットＤ上に本体天板部３を仮に支持する。この作業は吊りボルトＣの下端部を円形孔部１２ａから狭幅孔部１２ｂに向けてずらすことにより実施され、若しくは、既述のように器具本体２が作業用開口Ｇを狭める方向に移動されている場合には、作業用開口Ｇを広げる方向に器具本体２を押し戻すことにより実施される。この押し戻しにより、器具本体２の第３の本体縁部６ａが器具設置孔Ｂの一端縁を下側から覆うようになる。
【００６１】
こうして器具設置孔Ｂに対して器具本体２が適正位置に仮に支持された状態では、吊りボルトＣに吊持されるので、器具本体２を手で支えなくても良い。この状態で、ナットＤを回転操作して締め上げる。それにより、吊りボルトＣに吊持された器具本体２の第１の本体縁部４ａ〜第３の本体縁部６ａが器具設置孔Ｂの縁に夫々下方から引っ掛かった状態に、器具本体２が器具設置孔Ｂに埋め込み設置される。
【００６２】
ナットＤを締め上げる操作に伴って本体天板部３に上向きの力が作用する。しかし、本体天板部３が下向きに折れ曲がって天板側縁７で形成されているので、この天板側縁７の補強作用によって、本体天板部３が上向きに変形することが抑制される。これに加えて、本体天板部３の下面に固定された放電灯安定器１６，１７が本体天板部３を補強するので、この点でもナットＤを締め上げる操作に伴い本体天板部３が上向きに変形することが抑制される。
【００６３】
このように本体天板部３の変形が抑制されるので、連結金具１４が傾かないことに伴い、この連結金具１４のねじ受部を有した反射体受面を略水平に維持できる。そのため、後述のように反射体３１をねじ止めする際、この反射体３１を容易かつ適正に器具本体２に固定することが可能である。
【００６４】
器具本体２を器具設置孔Ｂに埋め込み設置した後、設置作業者は、天井裏の電源線（図示しない）を器具本体２の内側に引き込む。この引込みは、作業用開口Ｇを通して天井裏に差し込んだ手で、天井裏の電源線の先端部を掴んで、本体天板部３の電源線通孔１１に上方から差し込むことにより実施できるので、容易に実施できる。しかも、電源線通孔１１は、本体天板部３の天板側縁７の近傍、言い換えれば、作業用開口Ｇの近くに設けられているため、この点でも、より容易に電源線を電源線通孔１１に通して器具本体２内に引き込むことができる。そして、引込まれた電源線は、器具本体２の第１の本体側板部４に沿うように配線された後に、その先端部が端子台１９に対してその下側から上向きに挿入して接続される。
【００６５】
又、こうした電源線の引き込み及び既述したボルト通孔１２への吊りボルトＣの導入の際、本体天板部３の天板側縁７は下方を向いていて、それにより、板金の切断端面が作業用開口Ｇに通された手に向き合うことがない。そのため、吊りボルトＣ及び電源線を操作する設置作業者の手が天板側縁７によって傷付けられることを防止できる。
【００６６】
次に、反射体３１を器具設置孔Ｂに埋め込み設置する。つまり、反射体３１をその反射天板部３２を上側にして器具設置孔Ｂに挿入して、この反射体３１の第１のカバー縁部３３ａ〜第４のカバー縁部３６ａを器具設置孔Ｂの周縁に被せる。これにより、器具本体２の第１の本体縁部４ａ〜第３の本体縁部６ａが、第１のカバー縁部３３ａ〜第３のカバー縁部３５ａで覆われる。これとともに、器具本体２の内側面に取付けられている各ランプソケット２１が、これらに対応する反射体３１のソケット通孔３８を通って反射体３１の内部に配設される。
【００６７】
この状態で、設置作業者は、二本の化粧ねじ１５を反射天板部３２の下側から上向きに挿通させて連結金具１４にねじ込む。それにより、反射体３１が、器具本体２に固定されて器具設置孔Ｂに埋め込み設置される。こうした設置された反射体３１の斜状をなした第１の反射側板部３３が器具本体２の垂直な第１の本体側板部４に対向して、これらの間に上広がりをなす断面三角形状の第３スペースＳ４（図５及び図６参照）が形成される。同様に、反射体３１の斜状をなした第２の反射側板部３４が器具本体２の垂直な第２の本体側板部５に対向して、これらの間に上広がりをなす断面三角形状の第４スペースＳ５（図５及び図６参照）が形成される。又、図３に示すように反射体３１の垂直をなした第３の反射側板部３５は器具本体２の垂直な第３の本体側板部６に接近して対向し、反射体３１の垂直をなした第４の反射側板部３６は器具本体２には対向しない。
【００６８】
そして、第３スペースＳ４にはその上側から端子台１９が対向しており、この端子台１９と電源線通孔１１に渡る電源線が第３スペースＳ４内に配線されている。そのため、既述の手順で器具本体２の反射体３１をねじ止めする際に、電源線が反射天板部３２と連結金具１４との間に挟まれることがない。これにより、前記挟み込みを原因とする反射天板部３２の変形が防止されるとともに、前記挟み込みを原因として器具本体２への反射体３１のねじ止めに支障を来たさないようにできる。
【００６９】
更に、各ランプソケット２１は放電灯安定器１６，１７より低い位置で第２の本体側板部５の内面に装着されていて、これらランプソケット２１と本体天板部３との間に形成された配線スペースＳ３に器具内配線が配線されている。そのため、器具本体２へ反射体３１をねじ止めする際に、前記器具内配線が垂れ下がることを複数のランプソケット２１で防止できる。そのため、配線スペースＳ３内の器具内配線が反射体３１の取付けに邪魔になり難いので、反射体３１の取付け作業を容易にできる。
【００７０】
以上の手順の後、各蛍光ランプ４１を対応するランプソケット２１に夫々支持させるとともに、ランプホルダ３７に支持させることにより、これら蛍光ランプ４１を反射体３１の内側に配設する。
【００７１】
最後に、バッフル４５を反射体３１の制光体支持部３９に引掛けるなどして支持させることにより、各蛍光ランプ４１に下方からバッフル４５を対向させて、このバッフル４５を反射体３１の内側に配設する。以上により、建物の天井Ａに対する照明器具１の埋め込み設置作業が完了する。
【００７２】
なお、本発明は前記一実施形態には制約されない。例えば、バッフル４５等の制光体は省略できる。又、器具本体２は、吊りボルトＣに固定される前の状態で器具設置孔Ｂに沿って動かないように形成することもできる。この場合、器具本体２は、器具設置孔Ｂの４つの縁の全てに引っ掛かる枠状の本体縁部を有して形成すればよいとともに、器具本体２のボルト通孔１２は、吊りボルトＣの下端部が挿通可能な円形の孔とし、この挿通後に吊りボルトＣに座金Ｅを嵌合させてからナットＤを螺合させれば良い。
【符号の説明】
【００７３】
１…照明器具、２…器具本体、３…本体天板部、４〜６…第１〜第３の本体側板部、４ａ〜６ａ…第１〜第３の本体縁部、７…天板側縁、１１…電源線通孔、１２…ボルト通孔（ボルト通し部）、１２ａ…円形孔部、１２ｂ…狭幅孔部、１４…連結金具、１５…化粧ねじ（連結ねじ）、１５，１６…放電灯安定器、１６ａ，１７ａ…入力側端部、１６ｂ，１７ｂ…出力側端部、１９…端子台、２１…ランプソケット、３１…反射体、３２…反射天板部、３２〜３６…第１〜第４の反射側板部、３２ａ〜３６ａ…第１〜第４のカバー縁部、３８…ソケット通孔、４１…蛍光ランプ(光源)、Ａ…天井、Ｂ…器具設置孔、Ｃ…吊りボルト、Ｄ…ナット、Ｇ…作業用開口、Ｓ１…第１スペース（入力側端部周りのスペース）、Ｓ３…配線スペース、Ｓ４…第３スペース（断面三角形状のスペース）、Ｗ１…本体天板部の幅、Ｗ２…器具設置孔の幅、Ｗ３…反射天板部の幅
【図１】
2011048954.tif 000003
【図２】
2011048954.tif 000004
【図３】
2011048954.tif 000005
【図４】
2011048954.tif 000006
【図５】
2011048954.tif 000007
【図６】
2011048954.tif 000008
【図７】
2011048954.tif 000009
【図８】
2011048954.tif 000010